(57)【要約】【課題】  制御基板を収容する基板ケースの封印部分に対して、外部から工具により操作できず、不正の痕跡を外部からはっきりと視認可能な構造にし、不正行為を確実に防止できるようにする。【解決手段】  ロックピン５５１〜５５６を途中の接続部５５ｃで切断する切断工具を差し込むための矩形の差込口５７１〜５７６は、カバー４５の上壁４５ａのうちでベース４３の右側壁４３ｂとカバー４５の右側壁４５ｂとの隙間の上方位置であって、嵌入孔５１１〜５１６に対応する位置にそれぞれ設けられている。差込口５７１〜５７６にそれぞれ設けられている板状の破断部５９１〜５９６は、差込口５７１〜５７６より多少小さい矩形で、差込口５７１〜５７６をほぼ閉塞するように設けられており、細く形成された接続部５９ａを介してカバー４５の上壁４５ａと一体的に形成されている。【選択図】  図２
2005192792.tif 000002
【特許請求の範囲】
【請求項１】
ベースとカバーとに分割され遊技機筐体に固定される基板ケースに設けられ、遊技機用の制御基板を前記基板ケース内に収容した状態で前記基板ケースを封印する遊技機用制御基板ケースの封印装置において、
前記カバーの一側壁が該一側壁に対応する前記ベースの対応側壁の外側および内側のいずれか一方に隙間を介して位置するように前記カバーおよび前記ベースが配置され、
前記隙間を有した状態で前記一側壁と前記対応側壁とを連結、固定する固定部材と、
前記固定部材の切断工具を差し込むために前記カバーの上壁の前記隙間の上方位置に形成された差込口と、
前記差込口に破断可能で、かつ前記差込口をほぼ閉塞した状態に設けられた破断部とを備え、
前記破断部が破断されることにより、前記差込口に切断工具を差し込んで前記固定部材を途中で切断可能な状態になることを特徴とする遊技機用制御基板ケースの封印装置。
【請求項２】
前記破断部は、板状または薄膜状に形成されていることを特徴とする請求項１に記載の遊技機用制御基板ケースの封印装置。
【請求項３】
前記破断部は、前記カバーと異なる色で形成されていることを特徴とする請求項１または２に記載の遊技機用制御基板ケースの封印装置。
【請求項４】
前記一側壁および前記対応側壁のうちで外側に位置する側壁を外側壁とし、内側に位置する側壁を内側壁としたとき、
前記外側壁の所定位置に少なくとも一つの嵌入孔が透設され、
前記内側壁の前記嵌入孔に対向する位置に係合孔が透設され、
前記固定部材は、その先端の係止部が前記外側壁の外側から前記嵌入孔および前記係合孔に挿入されて前記内側壁の内面側で係止され、その根元の嵌入部が前記嵌入孔に嵌入される棒状の係合体であることを特徴とする請求項１ないし３のいずれかに記載の遊技機用制御基板ケースの封印装置。
【請求項５】
前記嵌入孔および前記係合孔並びに前記係合体は、各々複数個設けられ、
前記嵌入部の外周には切欠または突起からなるガイド部が形成され、
前記嵌入孔の内周には前記ガイド部が嵌挿する凸条または凹溝からなる被ガイド部が形成され、
前記ガイド部および前記被ガイド部の形成位置が、前記嵌入孔およびこれに嵌入する前記嵌入部の組ごとに異なっていることを特徴とする請求項４に記載の遊技機用制御基板ケースの封印装置。
【請求項６】
前記嵌入孔および前記係合孔並びに前記係合体は、各々複数個設けられ、
前記内側壁は、前記各係合孔がそれぞれ透設され互いに分離して設けられた複数の板状体からなり、各板状体は前記カバーまたは前記ベースからそれぞれ個別に切断可能に設けられていることを特徴とする請求項４または５に記載の遊技機用制御基板ケースの封印装置。
【請求項７】
前記各係合体は、それぞれ可撓性連結部材を介して前記ベースおよび前記カバーのうちで前記外側壁に対応する方に連結されていることを特徴とする請求項４ないし６のいずれかに記載の遊技機用制御基板ケースの封印装置。
【請求項８】
前記遊技機筐体に固定される底板と、前記底板に立設され前記ベースの底壁に形成された挿入部から前記外側壁の内側に挿入される立板とを有するホルダをさらに備え、
前記立板の前記各嵌入孔およびこれらに各々対応する前記各係合孔の少なくとも一つに対向する位置には、前記係合体の挿通用透孔が透設されていることを特徴とする請求項４ないし７のいずれかに記載の遊技機用制御基板ケースの封印装置。
【発明の詳細な説明】
【技術分野】
【０００１】
この発明は、ベースとカバーとに分割され遊技機筐体に固定される基板ケースに設けられ、遊技機用の制御基板を基板ケース内に収容した状態で基板ケースを封印する遊技機用制御基板ケースの封印装置に関する。
【背景技術】
【０００２】
一般に、スロットマシンやパチンコ機等の遊技機は、マイクロコンピュータにより制御されるようになっており、このマイクロコンピュータは予め所定パターンのプリント配線が施された制御基板上に、ＣＰＵやＲＯＭ、ＲＡＭ等のチップ部品が実装されて構成され、この制御基板が、図３１に示すような基板ケース１００内に収容されて遊技機筐体内の所定位置に配設される（例えば、特許文献１参照）。
【０００３】
ところで、この基板ケース１００は、図３１に示すように、透明樹脂製のベース１０１とカバー１０２とに分割され、ケース１００内に制御基板を収めた後、かしめ部１０３においてベース１０１とカバー１０２とをかしめて封印し、このかしめ部１０３を壊さない限りケース１００を開けることができない構造になっている。ここで、図３１には示されていないホルダが遊技機筐体内部の所定位置に固着され、ケース１００のベース１０１はこのホルダを介して遊技機筐体に固定されている。
【０００４】
そして、かしめ部１０３は、図３１に示すように、例えばケース１００の右側面に設けられた６個の封印部材１０４〜１０９を備え、更にこれら各封印部材１０４〜１０９は、カバー１０２の右側面に一体的に形成されたほぼ円筒状を成すカバー側封印部１０４ａ〜１０９ａと、ベース１０１の右側面であって各カバー側封印部１０４ａ〜１０９ａそれぞれとの対向位置に一体的に形成されたベース側封印部１０４ｂ〜１０９ｂとを備え、ねじにより各カバー側封印部１０４ａ〜１０９ａそれぞれと各ベース側封印部１０４ｂ〜１０９ｂそれぞれとが締結されて封印されるようになっている。但し、図３１において、１１０，１１１，１１２はカバー１０２に形成された透孔から導出されたピンヘッダであり、ケース１００内の制御基板に配設されており、外部ケーブルに接続される。
【０００５】
このとき、当初内蔵されている正規のＲＯＭを取り外して不正な変造ＲＯＭが取り付けられることを防止するために、まず１番目の封印部材１０４の両封印部１０４ａ，１０４ｂがねじ止めされてケース１００が封印され、この封印状態のまま制御基板がケース１００ごとパチンコホールに搬送される。更に、パチンコホールにおいて、２番目の両封印部１０５ａ，１０５ｂがねじ止めされて封印状態のケース１００がホルダを介して遊技機筐体に固定される。
【０００６】
そして、監督機関が変造ＲＯＭを取り締まるために、パチンコホールにおいてチェックする際に、ねじ止めされている１番目及び２番目の封印部材１０４，１０５が切断されて封印解除され、チェック終了後に３番目の封印部材１０６の両封印部１０６ａ，１０６ｂがねじ止めされ、このような監督機関による変造ＲＯＭの取り締まりごとに４番目、５番目の封印部材１０７，１０８が順次ねじ止めされて封印され、合計３回の監督機関によるチェックまで許容される構造になっている。
【０００７】
尚、制御基板をケース１００ごと回収する際に、５番目の封印部材１０８が切断されてケース１００が遊技機筐体から取り外し可能な状態にされると共に、６番目の封印部材１０９がねじ止めされてケース１００が封印状態のまま搬送可能な状態にされ、制御基板がケース１００ごと回収される。
【０００８】
【特許文献１】特開２０００−１４９０８号公報（段落０００３、図１、図３）
【発明の開示】
【発明が解決しようとする課題】
【０００９】
しかし、上記したような従来のかしめ部１０３は、遊技機筐体に固定されたケース１００に対し、正面側からねじ止めする構造であるため、ねじ止め後において外部から見えるのはねじ頭だけであり、ねじが緩められる等の不正が行われても不正の痕跡を外部からはっきりと視認することができず、不正行為を確実に排除することが困難であった。
【００１０】
そこで、本発明は、制御基板を収容する基板ケースの封印部分に対して、外部から工具により操作できず、不正の痕跡を外部からはっきりと視認可能な構造にし、不正行為を確実に防止できるようにすることを目的とする。
【課題を解決するための手段】
【００１１】
上記した目的を達成するために、本発明は、ベースとカバーとに分割され遊技機筐体に固定される基板ケースに設けられ、遊技機用の制御基板を前記基板ケース内に収容した状態で前記基板ケースを封印する遊技機用制御基板ケースの封印装置において、前記カバーの一側壁が該一側壁に対応する前記ベースの対応側壁の外側および内側のいずれか一方に隙間を介して位置するように前記カバーおよび前記ベースが配置され、前記隙間を有した状態で前記一側壁と前記対応側壁とを連結、固定する固定部材と、前記固定部材の切断工具を差し込むために前記カバーの上壁の前記隙間の上方位置に形成された差込口と、前記差込口に破断可能で、かつ前記差込口をほぼ閉塞した状態に設けられた破断部とを備え、前記破断部が破断されることにより、前記差込口に切断工具を差し込んで前記固定部材を途中で切断可能な状態になることを特徴としている（請求項１）。
【００１２】
また、前記破断部は、板状または薄膜状に形成されているとしてもよい（請求項２）。
【００１３】
また、前記破断部は、前記カバーと異なる色で形成されているとしてもよい（請求項３）。
【００１４】
また、前記一側壁および前記対応側壁のうちで外側に位置する側壁を外側壁とし、内側に位置する側壁を内側壁としたとき、前記外側壁の所定位置に少なくとも一つの嵌入孔が透設され、前記内側壁の前記嵌入孔に対向する位置に係合孔が透設され、前記固定部材は、その先端の係止部が前記外側壁の外側から前記嵌入孔および前記係合孔に挿入されて前記内側壁の内面側で係止され、その根元の嵌入部が前記嵌入孔に嵌入される棒状の係合体であるとしてもよい（請求項４）。
【００１５】
また、前記嵌入孔および前記係合孔並びに前記係合体は、各々複数個設けられ、前記嵌入部の外周には切欠または突起からなるガイド部が形成され、前記嵌入孔の内周には前記ガイド部が嵌挿する凸条または凹溝からなる被ガイド部が形成され、前記ガイド部および前記被ガイド部の形成位置が、前記嵌入孔およびこれに嵌入する前記嵌入部の組ごとに異なっているとしてもよい（請求項５）。
【００１６】
また、前記嵌入孔および前記係合孔並びに前記係合体は、各々複数個設けられ、前記内側壁は、前記各係合孔がそれぞれ透設され互いに分離して設けられた複数の板状体からなり、各板状体は前記カバーまたは前記ベースからそれぞれ個別に切断可能に設けられているとしてもよい（請求項６）。
【００１７】
また、前記各係合体は、それぞれ可撓性連結部材を介して前記ベースおよび前記カバーのうちで前記外側壁に対応する方に連結されているとしてもよい（請求項７）。
【００１８】
また、前記遊技機筐体に固定される底板と、前記底板に立設され前記ベースの底壁に形成された挿入部から前記外側壁の内側に挿入される立板とを有するホルダをさらに備え、前記立板の前記各嵌入孔およびこれらに各々対応する前記各係合孔の少なくとも一つに対向する位置には、前記係合体の挿通用透孔が透設されているとしてもよい（請求項８）。
【発明の効果】
【００１９】
請求項１に記載の発明によれば、固定部材の切断工具を差し込むために形成された差込口に、破断可能で、かつ差込口をほぼ閉塞した状態に設けられた破断部を備え、破断部が破断されることにより、差込口に切断工具を差し込んで固定部材を途中で切断可能な状態になるため、破断部によって切断工具の不正な差込みを防止できる。また、破断部の不正な破断があったときは不正の痕跡を外部から容易に発見することができる。
【００２０】
また、請求項２に記載の発明によれば、破断部は、板状または薄膜状に形成されているため、基板ケースの回収時や監督機関による検査時など、固定部材の切断が必要なときには破断部を容易に破断することができ、作業性を向上できる。
【００２１】
また、請求項３に記載の発明によれば、破断部は、カバーと異なる色で形成されているため、破断部を破断した痕跡が明確になり、不正に破断部を破断した場合にこれを容易に発見することができる。
【００２２】
また、請求項４に記載の発明によれば、固定部材は、その先端の係止部がカバーの外側から嵌入孔および係合孔に挿入されて対応側壁の内面側で係止され、その根元の嵌入部が嵌入孔に嵌入される棒状の係合体であるため、ねじを用いることなく、容易に基板ケースを封印することができる。
【００２３】
また、請求項５に記載の発明によれば、嵌入孔および係合孔並びに係合体は、各々複数個設けられ、嵌入部の外周には切欠または突起からなるガイド部が形成され、嵌入孔の内周にはガイド部が嵌挿する凸条または凹溝からなる被ガイド部が形成され、ガイド部および被ガイド部の形成位置が、嵌入孔およびこれに嵌入する嵌入部の組ごとに異なっているため、嵌入部を対応しない嵌入孔に嵌入するような不正が行われると、容易に発見することができる。
【００２４】
また、請求項６に記載の発明によれば、内側壁は、各係合孔がそれぞれ透設され互いに分離して設けられた複数の板状体からなり、各板状体はカバーまたはベースからそれぞれ個別に切断可能に設けられているため、基板ケースを開放すべく係合体を切断したときに係合体の先頭側の部分が係合孔に係合したままとなっている場合でも、板状体を切断することによって容易にケースとカバーとを分離することができ、作業性を向上することが可能になる。
【００２５】
また、請求項７に記載の発明によれば、係合体がベースおよびカバーのいずれか一方に可撓性連結部材を介して連結されているため、封印作業時に係合体を紛失するおそれがなく、封印作業を非常に効率よく行うことが可能になる。また、係合体が可撓性連結部材で連結されていなければ、複製した係合体で正規の係合体を置き換えるような不正を行い易くなるが、本発明によれば、そのような不正が困難になる。また、可撓性連結部材が切断されるなどの不正の痕跡を容易に発見することが可能になる。
【００２６】
また、請求項８に記載の発明によれば、ホルダの立板の各嵌入孔およびこれらに各々対応する各係合孔の少なくとも一つに対向する位置には、係合体の挿通用透孔が透設されているため、係合体を挿通用透孔に挿通させることで、ホルダを介して基板ケースを遊技機用筐体に固定することが容易にできる。
【発明を実施するための最良の形態】
【００２７】
＜第１実施形態＞
図１はこの発明が適用されるスロットマシンの正面図である。このスロットマシンは、例えば図１に示すように構成されている。即ち、図１に示すように、スロットマシン１では、筐体３の前面が前面パネル５により開閉自在に閉塞され、この前面パネル５のほぼ中央高さの位置に操作板７が配設されると共に、この操作板７の上方に正面板９が配設されている。
【００２８】
そして、この正面板９には３個のリール窓１１が並設され、各リール窓１１の内側には左、中、右の各リールが配置され、右端のリール窓１１の横には、ゲームの演出用画面を表示する液晶ディスプレイ１３が配設されており、各リール窓１１からは、各リールの図柄が各々３個ずつ見えるように設定されている。
【００２９】
更に、この操作板７には、クレジットされているメダルから投入を行うベットボタン１５、各リールの回転を開始させるためのスタートスイッチ１７、第１ないし第３ストップスイッチ１９，２１，２３、及び、メダル投入口２５や払出スイッチ２７が設けられている。また、正面板９には入賞ラインが描かれると共に、入賞ライン中の有効ラインを表示する有効表示ランプ３１、ボーナスゲームの状態などを表示する種々の演出表示ランプ３３、クレジットメダルの枚数を表示するメダル枚数表示器３５が正面板９に配設され、操作板７の下方にはメダル払出口３７やメダル受け３９が設けられている。また、筐体３内部の上側には、ＣＰＵやＲＯＭ、ＲＡＭ等のチップ部品が実装された制御基板を収容した基板ケースが配設される。
【００３０】
図２および図３は本発明の第１実施形態の基板ケースの一部の分解斜視図で、図２は斜め上から見た斜視図、図３は斜め下から見た斜視図である。図４はロックピンを挿入しない状態のかしめ部を示す正面図である。また、図５および図６はロックピンを挿入した組立状態における一部の断面斜視図である。
【００３１】
図２および図３に示すように、この基板ケース４１は、いずれも透明樹脂製のベース４３とカバー４５とに分割され、基板ケース４１内に制御基板４７が収められた後、右側のかしめ部４９においてベース４３とカバー４５とがかしめられて封印され、筐体３内部に固着されたホルダ４８に基板ケース４１が固定される。これによって、かしめ部４９を壊さない限り基板ケース４１を開けることができない構造になっている。ここで、カバー４５によりベース４３内に収容された制御基板４７を覆ったとき、カバー４５の右側壁４５ｂがベース４３の右側壁４３ｂの外側に隙間を介して位置するように、カバー４５及びベース４３の寸法設定がなされ、配置されている。このように、この実施形態では、カバー４５の右側壁４５ｂが本発明の「一側壁」および「外側壁」に相当し、ベース４３の右側壁４３ｂが本発明の「対応側壁」および「内側壁」に相当する。
【００３２】
ところで、かしめ部４９は、カバー４５の右側壁４５ｂに透設された嵌入孔５１１〜５１６と、ベース４３の右側壁４３ｂに透設された係合孔５３１〜５３６と、それぞれ嵌入孔５１１〜５１６に嵌挿されて先端が係合孔５３１〜５３６に嵌入するロックピン（本発明の「係合体」に相当）５５１〜５５６とを備えている。これら嵌入孔５１１〜５１６は、内径の異なる２段の円形孔が連続的に形成された横断面凸字状を成しており、係合孔５３１〜５３６は、嵌入孔５１１〜５１６の小径部分と同じか若干小さい内径に設定されている。
【００３３】
ロックピン５５１〜５５６は、それぞれ、根元に形成された嵌入部５５ａと、その先端側に形成された頭部５５ｂと、これらを繋ぐ中央部分に形成された軸状の接続部５５ｃと、頭部５５ｂの先端部分に形成された係止部５５ｄとを備えている。ロックピン５５１〜５５６の各嵌入部５５ａは嵌入孔５１１〜５１６と同じ横断面形状に形成されて嵌入孔５１１〜５１６に嵌入する。また、各嵌入部５５ａの外周には、それぞれ切欠からなるガイド部５５ｅが形成され、嵌入孔５１１〜５１６の内周には、それぞれガイド部５５ｅが嵌挿する軸方向への凸条からなる被ガイド部５１ａが形成されている。このとき、ガイド部５５ｅおよび被ガイド部５１ａの形成位置が、嵌入孔５１１〜５１６およびこれに嵌入するロックピン５５１〜５５６の嵌入部５５ａの組ごとに異なっている。これによって、ロックピン５５１〜５５６の嵌入部５５ａは、それぞれ対応する嵌入孔５１１〜５１６にのみ嵌入可能であって、対応しない嵌入孔に嵌入させると容易に発見できるようになっている。
【００３４】
また、ロックピン５５１〜５５６の頭部５５ｂは係合孔５３１〜５３６の内径とほぼ同径に形成されている。また、ロックピン５５１〜５５６の係止部５５ｄは、係合孔５３１〜５３６の内径よりもやや大径に形成されている。この係止部５５ｄは縦溝によって２分割されており、これにより頭部５５ｂの係合孔５３１〜５３６への嵌入時に、係合孔５３１〜５３６の内径よりも大径であっても係止部５５ｄは係合孔５３１〜５３６を通ってベース４３の右側壁４３ｂの内面に係止可能になっており、この係止部５５ｄの係止によって、ロックピン５５１〜５５６の引き抜きが阻止される。
【００３５】
さらに、カバー４５の上壁４５ａには、ロックピン５５１〜５５６を途中の接続部５５ｃで切断するニッパなどの切断工具を差し込むための矩形の差込口５７１〜５７６が形成されている。この差込口５７１〜５７６は、カバー４５の上壁４５ａのうちでベース４３の右側壁４３ｂとカバー４５の右側壁４５ｂとの隙間の上方位置であって、嵌入孔５１１〜５１６に対応する位置にそれぞれ設けられている。
【００３６】
また、差込口５７１〜５７６には、板状の破断部５９１〜５９６がそれぞれ設けられている。この破断部５９１〜５９６は、差込口５７１〜５７６より多少小さい矩形で、差込口５７１〜５７６をほぼ閉塞するようにそれぞれ設けられている。また、破断部５９１〜５９６は、それぞれ細く形成された接続部５９ａを介してカバー４５の上壁４５ａと一体的に形成されており、これによって容易に破断可能になされている。
【００３７】
また、カバー４５の右側壁４５ｂにインサート成型により設けられた可撓性の連結部材６１を介して、ロックピン５５１〜５５６の嵌入部５５ａがそれぞれカバー４５に連結されている。ロックピン５５１〜５５６および連結部材６１は、全体が人間の眼に目立つ色（この実施形態では例えば濃い赤色）に着色されている。
【００３８】
また、ホルダ４８は、底板４８ａと、この底板４８ａに立設された立板４８ｂとを有する側面視Ｌ字形状の板状体である。底板４８ａは、ねじなどの固定手段（図示省略）により筐体３に固定される。また、立板４８ｂには挿通用透孔６３１〜６３４が透設されている。この挿通用透孔６３１〜６３４は、ベース４３の右側壁４３ｂの係合孔５３２〜５３５とほぼ同じ大きさである。一方、ベース４３の底壁４３ａであって右側壁４３ｂのすぐ外側には、立板４８ｂの断面形状より多少大きい挿入部４３ｃが透設されている。そして、基板ケース４１をホルダ４８に取り付けるときに、ホルダ４８の立板４８ｂを挿入部４３ｃに挿入すると立板４８ｂが嵌挿されて挿通用透孔６３１〜６３４の中心軸が係合孔５３２〜５３５と一致するように形成されている。
【００３９】
そして、当初内蔵されている制御基板４７上の正規のＲＯＭを取り外して不正な変造ＲＯＭが取り付けられることを防止するために、図５に示すように、まず１番目のロックピン５５１が嵌入孔５１１、係合孔５３１に挿入されて嵌入され、これにより基板ケース４１が封印され、この封印状態のまま制御基板４７が基板ケース４１ごとパチンコホールに搬送される。さらに、パチンコホールにおいて、図６に示すように、２番目のロックピン５５２が嵌入孔５１２、透孔６３１、係合孔５３２に挿入されて嵌入され、これにより基板ケース４１が筐体３の所定位置に固定されたホルダ４８に固定され、封印状態の基板ケース４１がホルダ４８を介して筐体３内部の所定位置に設置される。
【００４０】
そして、監督機関が変造ＲＯＭを取り締まるために、パチンコホールにおいてチェックする際には、カバー４５の上壁４５ａの接続部５９ａを切断することにより、破断部５９１および５９２を上壁４５ａから破断し、ニッパなどの切断工具を差込口５７１および５７２から差し込んで１番目のロックピン５５１および２番目のロックピン５５２の接続部５５ｃを切断することで封印を解除する。切断された各ロックピン５５１，５５２の頭部５５ｂをホルダ４８の挿通用透孔６３１とベース４３の係合孔５３１，５３２とから除去すると、基板ケース４１がホルダ４８から取外し可能になるとともに、カバー４５をベース４３から取り外して基板ケース４１が開放可能な状態とされる。さらに、チェックが終了すると、３番目のロックピン５５３が嵌入孔５１３、挿通用透孔６３２および係合孔５３３に嵌入・係止されることで、基板ケース４１が封印されてホルダ４８に固定される。以後、このような監督機関による変造ＲＯＭの取り締まりごとに、４番目ないし５番目のロックピン５５４，５５５により基板ケース４１が順次封印されるとともにホルダ４８に固定される。
【００４１】
そして、制御基板４７を基板ケース４１ごと回収する際には、破断部５９５を上壁４５ａから除去して、切断工具を差込口５７５から差し込んで５番目のロックピン５５５の接続部５５ｃを切断することで封印を解除して基板ケース４１を筐体３内部から取り外した後、６番目のロックピン５５６が嵌入孔５１６、係合孔５３６に挿入されて嵌入・係止されて基板ケース４１を封印し、その封印状態のまま搬送されて回収される。
【００４２】
このように、この実施形態によれば、ロックピン５５１〜５５６を嵌入孔５１１〜５１６及び係合孔５３１〜５３６に挿入して嵌入することにより、従来のように、ねじを用いることなく基板ケース４１を簡単に封印することができる。また、ベース４３およびカバー４５は透明樹脂製のため、筐体３の正面から基板ケース４１を見たときに、嵌入孔５１１〜５１６及び係合孔５３１〜５３６に挿入、嵌入しているロックピン５５１〜５５６をはっきりと視認することができるため、ロックピン５５１〜５５６が外部から切断された場合の痕跡を明確に把握することができ、不正行為を早期に発見することができる。
【００４３】
また、この実施形態によれば、差込口５７１〜５７６に対する切断工具の差込みを破断部５９１〜５９６により妨げているため、ロックピン５５１〜５５６を外部から切断することが困難であり、不正行為を確実に防止することができる。また、破断部５９１〜５９６が不正に除去された場合には、監督機関のチェック回数と除去された破断部５９１〜５９６の個数とが合わないことになるため、その痕跡を明確に把握することができ、不正行為を早期に発見することができる。さらに、ロックピン５５１〜５５６を連結部材６１を介してカバー４５に連結しているため、封印作業時にロックピン５５１〜５５６を紛失するおそれがなく、封印作業を非常に効率よく行うことができる。また、ロックピン５５１〜５５６が連結部材６１でカバー４５に連結されていなければ、複製したロックピンで正規のロックピン５５１〜５５６を置き換えるような不正を行い易くなるが、この実施形態によれば、そのような不正が困難になる。また、連結部材６１が切断されるなどの不正の痕跡を容易に発見することが可能になる。さらにまた、ベース４３およびカバー４５は透明樹脂製であり、かつロックピン５５１〜５５６および連結部材６１は全体が人間の眼に目立つ色に着色されているため、ロックピン５５１〜５５６や連結部材６１に対する不正行為の痕跡を早期に発見することができる。
【００４４】
＜第２実施形態＞
図７は本発明の第２実施形態の基板ケースを組み立てた状態を示す斜視図、図８は同基板ケースをホルダに取り付けた状態を示す斜視図である。また、図９〜図１３は各部品を示す斜視図で、図９はベースを示し、図１０はカバーを示し、図１１はロック部材を示し、図１２は右側のホルダを示し、図１３は左側のホルダを示している。また、図１４はベースの平面図、図１５はかしめ部を示すベースの正面図である。また、図１６はカバーの平面図、図１７はかしめ部を示すカバーの正面図である。なお、第２実施形態のスロットマシンは図１を参照して説明した第１実施形態と同一であるので説明を省略する。また、図７〜図１７において、第１実施形態と同一機能を果たす部材には同一符号を付している。
【００４５】
この第２実施形態では、第１実施形態と異なり、ベース４３にカバー４５を取り付けて制御基板（図示省略）を封入したときに、カバー４５の右側壁４５ｂ（図１６、図１７）がベース４３の右側壁４３ｂ（図１４、図１５）の内側に隙間を介して位置するように、カバー４５及びベース４３の寸法設定がなされ、配置されている。このように、この実施形態では、カバー４５の右側壁４５ｂが本発明の「一側壁」および「内側壁」に相当し、ベース４３の右側壁４３ｂが本発明の「対応側壁」および「外側壁」に相当する。
【００４６】
また、この第２実施形態では、合成樹脂により一体的に形成されたロック部材５５０が設けられている。すなわち、図１１に示すように、ロックピン５５１〜５５６が可撓性の連結部材６１によりそれぞれ棒状のロック本体７１に並んで連結される一方、このロック本体７１から平板状の挿入片７２１〜７２５がそれぞれ突設されて、ロック部材５５０が形成されている。この挿入片７２１〜７２５は、ベース４３の右側壁４３ｂの下部にそれぞれ形成された各隙間７３１〜７３５（図１５）からそれぞれ挿入され、右側壁４３ｂのすぐ内側の底面に形成されたロック受け部７４１〜７４５（図１４）に載せられる。そして、挿入片７２２，７２４にそれぞれ穿設された貫通孔７５１（図１１）にロック受け部７４２，７４４に突設された凸部７５２（図１４）が嵌入した状態で該凸部７５２が加熱溶融されることで、ロック部材５５０がベース４３に固着される。ロック部材５５０を形成する合成樹脂は全体が人間の眼に目立つ色（この実施形態では例えば濃い赤色）に着色されている。
【００４７】
また、この第２実施形態では、ロックピン５５１〜５５６は、それぞれ、根元に形成された嵌入部５５ａと、その先端に平面視矢印状に形成された係止部５５ｄと、これらを繋ぐ中央部分に形成された軸状の接続部５５ｃとを備えている。また、ベース４３の右側壁４３ｂの外面には、各嵌入孔５１１〜５１６を囲むように、断面が円形と矩形とを合成した鍵穴のような形状の嵌入筒５２１〜５２６がそれぞれ設けられている。
【００４８】
また、この第２実施形態では、カバー４５の右側壁４５ｂは、図１６、図１７に示すように、係合孔５３１〜５３６がそれぞれ透設され互いに分離して設けられた板状体４５１〜４５６からなる。板状体４５１，４５６は、それぞれ破断部５９１，５９６と一体的に形成されており、接続部５９ａをニッパなどの切断工具により切断すると、破断部５９１，５９６とともに、カバー４５から破断される。また、板状体４５２〜４５５は、それぞれ細く形成された接続部４５ｃを介してカバー４５の上壁４５ａと一体的に形成されており、接続部４５ｃを切断工具により切断することで、それぞれ個別にカバー４５から除去される。
【００４９】
そして、第１実施形態の場合と同様に、当初内蔵されている制御基板上の正規のＲＯＭを取り外して不正な変造ＲＯＭが取り付けられることを防止するために、まず１番目のロックピン５５１を嵌入筒５２１に押し込んで、嵌入孔５１１および係合孔５３１に挿通すると、裾広がりの係止部５５ｄが係合孔５３１に係止されて基板ケース４１が封印され、この封印状態のまま制御基板が基板ケース４１ごとパチンコホールに搬送される。さらに、パチンコホールにおいて、筐体３にあらかじめ固定された左右のホルダ４８Ｌ，４８Ｒに取り付けられる。すなわち、右側のホルダ４８Ｒの立板４８ｂをベース４３の底面に透設された挿入部４３ｃに挿通させると、外側から順に、ベース４３の右側壁４３ｂの嵌入孔５１２〜５１５と、カバー４５の板状体４５２〜４５５の係合孔５３２〜５３５と、ホルダ４８Ｒの立板４８ｂに形成された挿通用透孔６３１〜６３４とが、それぞれ同軸上に並ぶ。そして、２番目のロックピン５５２を嵌入筒５２２に押し込んで、嵌入孔５１２、係合孔５３２および挿通用透孔６３１に挿通すると、裾広がりの係止部５５ｄが挿通用透孔６３１に係止されて、図８に示すように、基板ケース４１がホルダ４８Ｌ，４８Ｒを介して筐体３に取り付けられる。なお、基板ケース４１の左側では、ホルダ４８Ｌの天板４８ｃ上にベース４３の左側に形成されたフランジ４３ｄが載せられて、天板４８ｃおよびフランジ４３ｄのほぼ中央にそれぞれ形成された孔４８ｄ，４３ｅにねじを挿通して共締めされる。
【００５０】
そして、監督機関が変造ＲＯＭを取り締まるために、パチンコホールにおいてチェックする際には、カバー４５の上壁４５ａの接続部５９ａを切断することにより、破断部５９１および５９２を上壁４５ａから破断し、ニッパなどの切断工具を差込口５７１および５７２から差し込んで１番目のロックピン５５１および２番目のロックピン５５２の接続部５５ｃを切断する。破断部５９１の破断により板状体４５１はカバー４５から切り離される。さらに、カバー４５の接続部４５ｃを切断工具により切断することにより、板状体４５２をカバー４５から切り離す。これによって、基板ケース４１がホルダ４８Ｒから取外し可能になるとともに、カバー４５をベース４３から取り外して基板ケース４１が開放可能な状態とされる。このとき、板状体４５１，４５２がカバー４５から切り離されているので、第１実施形態のように、切断された各ロックピン５５１，５５２をホルダ４８Ｒの挿通用透孔６３１やカバー４５の係合孔５３１，５３２から除去するなどの作業を行う必要はない。
【００５１】
さらに、チェックが終了すると、３番目のロックピン５５３を嵌入筒５２３に押し込んで、嵌入孔５１３、係合孔５３３および挿通用透孔６３２に挿通すると、裾広がりの係止部５５ｄが挿通用透孔６３２に係止されて、基板ケース４１が封印されてホルダ４８Ｌ，４８Ｒを介して筐体３に固定される。以後、このような監督機関による変造ＲＯＭの取り締まりごとに、４番目ないし５番目のロックピン５５４，５５５により基板ケース４１が順次封印されるとともにホルダ４８Ｌ，４８Ｒを介して筐体３に固定される。
【００５２】
そして、制御基板を基板ケース４１ごと回収する際には、破断部５９５を上壁４５ａから破断して、切断工具を差込口５７５から差し込んで５番目のロックピン５５５の接続部５５ｃを切断することで封印を解除して基板ケース４１を筐体３内部から取り外した後、６番目のロックピン５５６を嵌入孔５１６、係合孔５３６に挿入して嵌入・係止することで基板ケース４１を封印し、その封印状態のまま搬送されて回収される。
【００５３】
このように、第２実施形態によれば、第１実施形態と同様に、ロックピン５５１〜５５６を嵌入孔５１１〜５１６及び係合孔５３１〜５３６に挿入して嵌入することにより、従来のように、ねじを用いることなく基板ケース４１を簡単に封印することができる。また、ベース４３およびカバー４５は透明樹脂製のため、筐体３の正面から基板ケース４１を見たときに、嵌入孔５１１〜５１６及び係合孔５３１〜５３６に挿入、嵌入しているロックピン５５１〜５５６をはっきりと視認することができるため、ロックピン５５１〜５５６が外部から切断された場合の痕跡を明確に把握することができ、不正行為を早期に発見することができる。
【００５４】
また、第２実施形態によれば、第１実施形態と同様に、差込口５７１〜５７６に対する切断工具の差込みを破断部５９１〜５９６により妨げているため、ロックピン５５１〜５５６を外部から切断することが困難であり、不正行為を確実に防止することができる。また、破断部５９１〜５９６が不正に除去された場合には、監督機関のチェック回数と除去された破断部５９１〜５９６の個数とが合わないことになるため、その痕跡を明確に把握することができ、不正行為を早期に発見することができる。さらに、ロック部材５５０をベース４３に固着することでロックピン５５１〜５５６を連結部材６１を介してベース４３に連結しているため、封印作業時にロックピン５５１〜５５６を紛失するおそれがなく、封印作業を非常に効率よく行うことができる。また、ロックピン５５１〜５５６が連結部材６１でベース４３に連結されていなければ、複製したロックピンで正規のロックピン５５１〜５５６を置き換えるような不正を行い易くなるが、この実施形態によれば、第１実施形態と同様に、そのような不正が困難になる。また、連結部材６１が切断されるなどの不正の痕跡を容易に発見することが可能になる。さらにまた、ベース４３およびカバー４５は透明樹脂製であり、かつロック部材５５０は全体が人間の眼に目立つ色に着色されているため、ロック部材５５０に対する不正行為の痕跡を早期に発見することができる。
【００５５】
また、第２実施形態によれば、各嵌入孔５１１〜５１６を囲むように嵌入筒５２１〜５２６をそれぞれ設けているため、ロックピン５５１〜５５６の嵌入部５５ａが嵌入筒５２１〜５２６の内部に隠されることとなり、ロックピン５５１〜５５６に対する不正工作がより困難になるという利点がある。
【００５６】
また、第２実施形態によれば、カバー４５の右側壁４５ｂを、係合孔５３１〜５３６がそれぞれ透設され互いに分離して設けられた板状体４５１〜４５６からなるものとし、板状体４５１〜４５６をそれぞれ個別にカバー４５から除去可能にしているため、切断された各ロックピン５５１〜５５６をホルダ４８Ｒの挿通用透孔６３１〜６３４やカバー４５の係合孔５３１〜５３６から除去するなどの作業を行うことなく、基板ケース４１がホルダ４８Ｒから取外し可能になることから、第１実施形態に比べて、封印解除時の作業性を向上することができる。
【００５７】
また、図９に示すように、ベース４３の奥側の側壁４３ｆは、基板ケース４１を組み立てたときにその上端がカバー４５の上壁４５ａとほぼ同一面を形成するように、底壁４３ａから上方に延設されている。したがって、図８に示すように、基板ケース４１を組み立てたときにカバー４５とベース４３との境界にカバー４５からベース４３にまたがって貼り付けられる封印シール４４がカバー４５の上壁４５ａにも貼り付けられることになるため、基板ケース４１をホルダ４８Ｌ，４８Ｒを介して筐体３に装着したときに、封印シール４４が真正面から見える。このため、第２実施形態によれば、封印シール４４が正常に貼り付けられているか否かを容易に確認することができる。
【００５８】
＜第３実施形態＞
図１８は本発明の第３実施形態の基板ケースを組み立てた状態の斜視図、図１９は同基板ケースをホルダに取り付けた状態の斜視図である。また、図２０〜図２３は第３実施形態のベースを示す図で、図２０は斜視図、図２１は平面図、図２２は側面図、図２３はかしめ部を示す正面図である。また、図２４〜図２７は第３実施形態のカバーを示す図で、図２４は斜視図、図２５は平面図、図２６は側面図、図２７はかしめ部を示す正面図である。なお、第３実施形態のスロットマシンは図１を参照して説明した第１実施形態と同一であるので説明を省略する。また、第３実施形態のロック部材５５０および左右のホルダ４８Ｌ，４８Ｒは、それぞれ図１１〜図１３に示す第２実施形態と同一であるので図示を省略する。また、図１８〜図２７において、第１および第２実施形態と同一機能を果たす部材には同一符号を付している。
【００５９】
この第３実施形態では、第２実施形態と同様に、ベース４３にカバー４５を取り付けて制御基板（図示省略）を封入したときに、カバー４５の右側壁４５ｂ（図２５、図２７）がベース４３の右側壁４３ｂ（図２１、図２３）の内側に隙間を介して位置するように、カバー４５及びベース４３の寸法設定がなされ、配置されている。このように、この実施形態では、カバー４５の右側壁４５ｂが本発明の「一側壁」および「内側壁」に相当し、ベース４３の右側壁４３ｂが本発明の「対応側壁」および「外側壁」に相当する。
【００６０】
また、第２実施形態と同一構成のロック部材５５０の挿入片７２１〜７２５は、ベース４３の右側壁４３ｂの下部にそれぞれ形成された各隙間７３１〜７３５（図２３）からそれぞれ挿入され、右側壁４３ｂのすぐ内側の底面に形成されたロック受け部７４１〜７４５（図２１）に載せられる。そして、挿入片７２２，７２４にそれぞれ穿設された貫通孔７５１（図１１）にロック受け部７４２，７４４に突設された凸部７５２（図２１）が嵌入した状態で該凸部７５２が加熱溶融されることで、ロック部材５５０がベース４３に固着される。ロック部材５５０を形成する合成樹脂は全体が人間の眼に目立つ色（この実施形態では例えば濃い赤色）に着色されている。
【００６１】
また、この第３実施形態では、カバー４５の右側壁４５ｂは、図２５、図２７に示すように、係合孔５３１が透設された板状体４５１と、係合孔５３２〜５３５が透設された板状体４５７と、係合孔５３６が透設された板状体４５６とからなる。板状体４５１と板状体４５７と板状体４５６とは、互いに分離して設けられている。板状体４５１，４５６は、それぞれ破断部５９１，５９６と一体的に形成されており、接続部５９ａをニッパなどの切断工具により切断すると、それぞれ破断部５９１，５９６とともに、カバー４５から破断される。また、板状体４５７はカバー４５の上壁４５ａと一体的に形成されている。
【００６２】
また、この第３実施形態では、ベース４３の嵌入筒５２１のすぐ内側に、側壁４３ｂから内側に向けて所定長の立板４３ｇが側壁４３ｆとほぼ平行に立設されている。また、側壁４３ｆと立板４３ｇとの間に、平面視コ字状の囲み壁７６１が底板から立設されている。さらに、ベース４３の嵌入筒５２６のすぐ内側に、側壁４３ｂから内側に向けて所定長の立板４３ｉが側壁４３ｈとほぼ平行に立設されている。また、立板４３ｉと側壁４３ｈとの間に、平面視コ字状の囲み壁７６２が底板から立設されている。一方、カバー４５において、破断部５９１，５９６は、それぞれ左右両端が下方に延設された延設部５９ｂを有し、正面視コ字状に形成されている。これらの延設部５９ｂは、それぞれ長尺部分５９ｃと短尺部分５９ｄとからなっている。
【００６３】
このような構成により、ベース４３にカバー４５を取り付けるロックピン５５１は、最も外側でベース４３の側壁４３ｆと立板４３ｇとにより囲まれており、そのすぐ内側でカバー４５の破断部５９１の両側の延設部５９ｂにより囲まれている。さらに、その延設部５９ｂの内側では、ベース４３の囲み壁７６１の上端が、延設部５９ｂの長尺部分５９ｃの下端とは高さ方向に重なり合っており、短尺部分５９ｄの下端とはほぼ同一の高さ位置となっている。また、ロックピン５５６も同様に、最も外側でベース４３の側壁４３ｈと立板４３ｉとにより囲まれており、そのすぐ内側でカバー４５の破断部５９６の両側の延設部５９ｂにより囲まれている。さらに、その延設部５９ｂの内側では、ベース４３の囲み壁７６２の上端が、延設部５９ｂの長尺部分５９ｃの下端とは高さ方向に重なり合っており、短尺部分５９ｄの下端とはほぼ同一の高さ位置となっている。これによって、ロックピン５５１，５５６に対する外部からの不正行為を困難にしている。
【００６４】
そして、第１実施形態の場合と同様に、当初内蔵されている制御基板上の正規のＲＯＭを取り外して不正な変造ＲＯＭが取り付けられることを防止するために、まず１番目のロックピン５５１を嵌入筒５２１に押し込んで、嵌入孔５１１および係合孔５３１に挿通すると、裾広がりの係止部５５ｄが係合孔５３１に係止されて基板ケース４１が封印され、この封印状態のまま制御基板が基板ケース４１ごとパチンコホールに搬送される。さらに、パチンコホールにおいて、筐体３にあらかじめ固定された左右のホルダ４８Ｌ，４８Ｒに取り付けられる。すなわち、右側のホルダ４８Ｒの立板４８ｂをベース４３の底面に透設された挿入部４３ｃに挿通させると、外側から順に、ベース４３の右側壁４３ｂの嵌入孔５１２〜５１５と、カバー４５の板状体４５７の係合孔５３２〜５３５と、ホルダ４８Ｒの立板４８ｂに形成された挿通用透孔６３１〜６３４とが、それぞれ同軸上に並ぶ。そして、２番目のロックピン５５２を嵌入筒５２２に押し込んで、嵌入孔５１２、係合孔５３２および挿通用透孔６３１に挿通すると、裾広がりの係止部５５ｄが挿通用透孔６３１に係止されて、図１９に示すように、基板ケース４１がホルダ４８Ｌ，４８Ｒを介して筐体３に取り付けられる。なお、基板ケース４１の左側では、ホルダ４８Ｌの天板４８ｃ上にベース４３の左側に形成されたフランジ４３ｄが載せられて、天板４８ｃおよびフランジ４３ｄのほぼ中央にそれぞれ形成された孔４８ｄ，４３ｅにねじを挿通して共締めされる。
【００６５】
そして、監督機関が変造ＲＯＭを取り締まるために、パチンコホールにおいてチェックする際には、カバー４５の上壁４５ａの接続部５９ａを切断することにより、破断部５９１および５９２を上壁４５ａから破断し、ニッパなどの切断工具を差込口５７１および５７２から差し込んで１番目のロックピン５５１および２番目のロックピン５５２の接続部５５ｃを切断する。破断部５９１の破断により板状体４５１はカバー４５から切り離される。これによって、基板ケース４１がホルダ４８Ｒから取外し可能になるとともに、カバー４５をベース４３から取り外して基板ケース４１が開放可能な状態とされる。このとき、板状体４５１がカバー４５から切り離されているので、切断されたロックピン５５１をホルダ４８Ｒの挿通用透孔６３１やカバー４５の係合孔５３１から除去するなどの作業を行う必要はない。なお、ロックピン５５２については、係止部５５ｄの近傍で切断することにより、ホルダ４８Ｒの挿通用透孔６３２やカバー４５の係合孔５３２から容易に除去することができる。
【００６６】
さらに、チェックが終了すると、３番目のロックピン５５３を嵌入筒５２３に押し込んで、嵌入孔５１３、係合孔５３３および挿通用透孔６３２に挿通すると、裾広がりの係止部５５ｄが挿通用透孔６３２に係止されて、基板ケース４１が封印されてホルダ４８Ｌ，４８Ｒを介して筐体３に固定される。以後、このような監督機関による変造ＲＯＭの取り締まりごとに、４番目ないし５番目のロックピン５５４，５５５により基板ケース４１が順次封印されるとともにホルダ４８Ｌ，４８Ｒを介して筐体３に固定される。
【００６７】
そして、制御基板を基板ケース４１ごと回収する際には、破断部５９５を上壁４５ａから破断して、切断工具を差込口５７５から差し込んで５番目のロックピン５５５の接続部５５ｃを切断することで封印を解除して基板ケース４１を筐体３内部から取り外した後、６番目のロックピン５５６を嵌入孔５１６、係合孔５３６に挿入して嵌入・係止することで基板ケース４１を封印し、その封印状態のまま搬送されて回収される。
【００６８】
このように、第３実施形態によれば、第１実施形態と同様に、ロックピン５５１〜５５６を嵌入孔５１１〜５１６及び係合孔５３１〜５３６に挿入して嵌入することにより、従来のように、ねじを用いることなく基板ケース４１を簡単に封印することができる。また、ベース４３およびカバー４５は透明樹脂製のため、筐体３の正面から基板ケース４１を見たときに、嵌入孔５１１〜５１６及び係合孔５３１〜５３６に挿入、嵌入しているロックピン５５１〜５５６をはっきりと視認することができるため、ロックピン５５１〜５５６が外部から切断された場合の痕跡を明確に把握することができ、不正行為を早期に発見することができる。
【００６９】
また、第３実施形態によれば、第１実施形態と同様に、差込口５７１〜５７６に対する切断工具の差込みを破断部５９１〜５９６により妨げているため、ロックピン５５１〜５５６を外部から切断することが困難であり、不正行為を確実に防止することができる。また、破断部５９１〜５９６が不正に除去された場合には、監督機関のチェック回数と除去された破断部５９１〜５９６の個数とが合わないことになるため、その痕跡を明確に把握することができ、不正行為を早期に発見することができる。
【００７０】
また、第３実施形態によれば、第２実施形態と同様に、ロック部材５５０をベース４３に固着することでロックピン５５１〜５５６を連結部材６１を介してベース４３に連結しているため、封印作業時にロックピン５５１〜５５６を紛失するおそれがなく、封印作業を非常に効率よく行うことができる。また、ロックピン５５１〜５５６が連結部材６１でベース４３に連結されていなければ、複製したロックピンで正規のロックピン５５１〜５５６を置き換えるような不正を行い易くなるが、この実施形態によれば、第１実施形態と同様に、そのような不正が困難になる。また、連結部材６１が切断されるなどの不正の痕跡を容易に発見することが可能になる。さらにまた、ベース４３およびカバー４５は透明樹脂製であり、かつロック部材５５０は全体が人間の眼に目立つ色に着色されているため、ロック部材５５０に対する不正行為の痕跡を早期に発見することができる。
【００７１】
また、第３実施形態によれば、第２実施形態と同様に、各嵌入孔５１１〜５１６を囲むように嵌入筒５２１〜５２６をそれぞれ設けているため、ロックピン５５１〜５５６の嵌入部５５ａが嵌入筒５２１〜５２６の内部に隠されることとなり、ロックピン５５１〜５５６に対する不正工作がより困難になるという利点がある。
【００７２】
また、第２実施形態と同様に、図２０に示すように、ベース４３の奥側の側壁４３ｆは、基板ケース４１を組み立てたときにその上端がカバー４５の上壁４５ａとほぼ同一面を形成するように、底壁４３ａから上方に延設されている。したがって、図１９に示すように、基板ケース４１を組み立てたときにカバー４５とベース４３との境界にカバー４５からベース４３にまたがって貼り付けられる封印シール４４がカバー４５の上壁４５ａにも貼り付けられることになるため、基板ケース４１をホルダ４８Ｌ，４８Ｒを介して筐体３に装着したときに、封印シール４４が真正面から見える。このため、第３実施形態によれば第２実施形態と同様に、封印シール４４が正常に貼り付けられているか否かを容易に確認することができる。
【００７３】
また、第３実施形態では、例えば図１６と図２５とを比較して分かるように、差込口５７２〜５７５に対して破断部５９２〜５９５を可能な限り大きくすることで、第２実施形態に比べて隙間をより小さくしている。さらに、図１４と図２１とを比較して分かるように、ベース４３の底面に透設される挿入部４３ｃを第２実施形態に比べてより小さくしている。これによって、第３実施形態によれば、第２実施形態に比べて、外部からの不正行為をより一層困難にすることが可能になる。
【００７４】
＜変形形態＞
なお、本発明は上記した実施形態に限定されるものではなく、その趣旨を逸脱しない限りにおいて上述したもの以外に種々の変更を行うことが可能である。
【００７５】
例えば、上記第１実施形態では破断部５９１〜５９６をカバー４５の上壁４５ａと１箇所の接続部５９ａで接続しているが、破断部５９１〜５９６の形状やカバー４５の上壁４５ａとの接続状態はこれに限られず、カバー４５から除去し易いものであればよい。例えば図２８では、破断部５９１，５９２，５９３，…をカバー４５の上壁４５ａより薄く形成している。また、例えば図２９では、破断部５９１〜５９６を上記第１実施形態と異なる２箇所の接続部５９ａでカバー４５の上壁４５ａと接続している。さらに、例えば図３０では、破断部５９１〜５９６を細い格子により形成している。これらの図２８〜図３０に示す形状でも、破断部５９１〜５９６をカバー４５から容易に除去することができる。また、破断部５９１〜５９６をカバー４５の上壁４５ａと２箇所または３箇所の接続部５９ａで接続している上記第２、第３実施形態でも、図２８〜図３０に示す形状の破断部を採用することができる。
【００７６】
また、上記第１実施形態では、ロックピン５５１〜５５６の嵌入部５５ａの外周に形成されたガイド部５５ｅは切欠からなり、嵌入孔５１１〜５１６の内周に形成された被ガイド部５１ａは軸方向への凸条からなるとしているが、これに限られず、ガイド部が被ガイド部に嵌挿する形状であればよい。例えば図２９では、ロックピン５５１〜５５６の嵌入部５５ａの外周に形成されたガイド部５５ｅは突起からなり、嵌入孔５１１〜５１６の内周に形成された被ガイド部５１ａは軸方向への凹溝からなる。そして、図２９でも上記第１実施形態と同様に、ガイド部５５ｅおよび被ガイド部５１ａの形成位置が、嵌入孔５１１〜５１６およびこれに嵌入するロックピン５５１〜５５６の嵌入部５５ａの組ごとに異なっている。この図２９の形状でも、ロックピン５５１〜５５６の嵌入部５５ａは、それぞれ対応する嵌入孔５１１〜５１６にのみ嵌入可能であって、対応しない嵌入孔に嵌入させると容易に発見できることとなる。
【００７７】
また、上記第１〜第３実施形態において、破断部５９１〜５９６をカバー４５（第１実施形態）またはベース４３（第２、第３実施形態）と異なる色に着色するようにしてもよい。この形態によれば、破断部５９１〜５９６に対する不正行為をより一層確実に発見することができる。なお、破断部５９１〜５９６を着色する色は、人間の眼に目立つ色であることが好ましい。
【００７８】
また、上記実施形態では、ロックピン５５１〜５５６をカバー４５（第１実施形態）またはベース４３（第２、第３実施形態）に連結しているが、ロックピン５５１〜５５６は必ずしもカバー４５またはベース４３に連結しておく必要はなく、ロックピン５５１〜５５６は、ベース４３やカバー４５とは別個の独立した部材であってもよい。ただし、上述したように、作業性および不正防止の観点から上記実施形態のように連結しておく方が好ましい。
【００７９】
また、上記した実施形態では、嵌入孔５１１〜５１６、係合孔５３１〜５３６およびロックピン５５１〜５５６をそれぞれ６個としているが、これらの個数は特に６個に限定されるものではない。
【００８０】
更に、上記した実施形態では、本発明をスロットマシンに適用した場合について説明したが、パチンコ機といった他の遊技機にも本発明を適用することができ、その場合にも上記した各実施形態と同等の効果を得ることができる。
【図面の簡単な説明】
【００８１】
【図１】この発明が適用されるスロットマシンの正面図である。
【図２】この発明の第１実施形態の基板ケースの一部の分解斜視図である。
【図３】この発明の第１実施形態の基板ケースの一部の分解斜視図である。
【図４】ロックピンを挿入しない状態のかしめ部を示す正面図である。
【図５】ロックピンを挿入した組立状態における一部の断面斜視図である。
【図６】ロックピンを挿入した組立状態における一部の断面斜視図である。
【図７】本発明の第２実施形態の基板ケースを組み立てた状態を示す斜視図である。
【図８】同基板ケースをホルダに取り付けた状態を示す斜視図である。
【図９】ベースを示す斜視図である。
【図１０】カバーを示す斜視図である。
【図１１】ロック部材を示す斜視図である。
【図１２】右側のホルダを示す斜視図である。
【図１３】左側のホルダを示す斜視図である。
【図１４】ベースの平面図である。
【図１５】かしめ部を示すベースの正面図である。
【図１６】カバーの平面図である。
【図１７】かしめ部を示すカバーの正面図である。
【図１８】本発明の第３実施形態の基板ケースを組み立てた状態の斜視図である。
【図１９】同基板ケースをホルダに取り付けた状態の斜視図である。
【図２０】第３実施形態のベースの斜視図である。
【図２１】同ベースの平面図である。
【図２２】同ベースの側面図である。
【図２３】かしめ部を示す同ベースの正面図である。
【図２４】第３実施形態のカバーの斜視図である。
【図２５】同カバーの平面図である。
【図２６】同カバーの側面図である。
【図２７】かしめ部を示す同カバーの正面図である。
【図２８】変形形態におけるかしめ部の斜視図である。
【図２９】変形形態におけるかしめ部の斜視図である。
【図３０】変形形態におけるかしめ部の斜視図である。
【図３１】従来例の斜視図である。
【符号の説明】
【００８２】
１…スロットマシン（遊技機）、３…筐体（遊技機筐体）、４１…基板ケース、４３…ベース、４３ｂ…ベースの右側壁（一側壁、内側壁、外側壁）、４５…カバー、４５ｂ…カバーの右側壁（対応側壁、外側壁、内側壁）、４５１〜４５７…板状体、４８，４８Ｒ…ホルダ、４９…かしめ部、５１１〜５１６…嵌入孔、５１ａ…被ガイド部、５３１〜５３６…係合孔、５５１〜５５６…ロックピン（係合体）、５５ａ…嵌入部、５５ｂ…頭部、５５ｃ…接続部、５５ｄ…係止部、５５ｅ…ガイド部、５７１〜５７６…差込口、５９１〜５９６…破断部、６１…連結部材
【図１】
2005192792.tif 000003
【図２】
2005192792.tif 000004
【図３】
2005192792.tif 000005
【図４】
2005192792.tif 000006
【図５】
2005192792.tif 000007
【図６】
2005192792.tif 000008
【図７】
2005192792.tif 000009
【図８】
2005192792.tif 000010
【図９】
2005192792.tif 000011
【図１０】
2005192792.tif 000012
【図１１】
2005192792.tif 000013
【図１２】
2005192792.tif 000014
【図１３】
2005192792.tif 000015
【図１４】
2005192792.tif 000016
【図１５】
2005192792.tif 000017
【図１６】
2005192792.tif 000018
【図１７】
2005192792.tif 000019
【図１８】
2005192792.tif 000020
【図１９】
2005192792.tif 000021
【図２０】
2005192792.tif 000022
【図２１】
2005192792.tif 000023
【図２２】
2005192792.tif 000024
【図２３】
2005192792.tif 000025
【図２４】
2005192792.tif 000026
【図２５】
2005192792.tif 000027
【図２６】
2005192792.tif 000028
【図２７】
2005192792.tif 000029
【図２８】
2005192792.tif 000030
【図２９】
2005192792.tif 000031
【図３０】
2005192792.tif 000032
【図３１】
2005192792.tif 000033